(57)【要約】      （修正有）【課題】主に観光等で日本を訪問する外国人向けのお守りであって、旅行安全、交通安全、新たな出会い、貴重な体験等ハッピーな結末に至ることを願うお守り用として最適なお守り袋を提供する。【解決手段】お守り袋１の前布と後布との接合部をジッパー３により開閉可能となし、その内部に社寺から請い受けた守り札に加えて、更に独自の祈りを増幅する他、ミニ御朱印帳、家族の写真、連絡先・病歴等の本人の個人情報を記載したメモ、緊急用の紙幣等自己管理のために必要な物品を内封可能となしたことを特徴とする。【選択図】図１
0003201058.tif 000002
【実用新案登録請求の範囲】
【請求項１】
お守り袋の前布と後布との接合部をジッパーにより開閉可能となし、その内部に社寺から請い受けた守り札に加えて、更に独自の祈りを増幅する他、ミニ御朱印帳、家族の写真、連絡先・病歴等の本人の個人情報、緊急用のお金等自己管理のために必要な物品を内封可能となしたことを特徴とするお守り袋。
【請求項２】
ジッパーを前布と後布との接合部の少なくとも一辺に設けたことを特徴とする請求項１記載のお守り袋。
【請求項３】
ジッパーをあまり目立たないような細身のものとしてなることを特徴とする請求項１記載のお守り袋。
【請求項４】
お守り袋の前布と後布の少なくとも一方に英語表記の表示をしてなる請求項１記載のお守り袋。
【考案の詳細な説明】
【技術分野】
【０００１】
本考案は、お守り袋に関し、更に詳細には、主に観光等で日本を訪問する外国人向けのお守りであって、旅行安全、交通安全、新たな出会い、貴重な体験等ハッピーな結末に至ることを願うお守り用として最適なお守り袋に関するものである。
【背景技術】
【０００２】
旧来のお守りは、開いてその内部を覗くだけで目がつぶれると言われた程、開封ご法度を前提とされて、これが習慣づけられてきた。
【０００３】
本考案は、斯かる習慣に対し、あえてこれを開封可能とし、予め内封されている社寺から請い受けた守り札に加えて、更に独自の祈りを増幅する他、自己管理のために必要な物品を内封することを可能となしたお守り袋を提案しようとするものである。
【考案の概要】
【考案が解決しようとする課題】
【０００４】
本考案は上記の点に鑑みなされたものであって、お守り袋の前布と後布との接合部をジッパーにより開閉可能となし、その内部に社寺から請い受けた守り札に加えて、更に独自の祈りを増幅する他、自己管理のために必要な種々の物品を内封することにより、主に観光等で日本を訪問する外国人向けのお守りとして、旅行安全、交通安全、新たな出会い、貴重な体験等ハッピーな結末に至ることを願うお守り用として最適なお守り袋を提供しようとするものである。
【課題を解決するための手段】
【０００５】
而して、本考案の要旨とするところは、お守り袋の前布と後布との接合部をジッパーにより開閉可能となし、その内部に社寺から請い受けた守り札に加えて、更に独自の祈りを増幅する他、自己管理のために必要な物品を内封することを可能となしたお守り袋にある。
【０００６】
上記構成において、前記ジッパーは前布と後布との接合部における少なくとも一辺に設けるものとし、その左右側辺及び底辺に設けてもよい。尚、上辺は社寺において請い受けた守り札を収納した後、紐等により閉じられるものである。
【０００７】
上記構成において、ジッパーはあまりこれが目立たないように細身のものを採用するようにするとよい。
【０００８】
上記構成において、前布又は後布には、「Ｈａｐｐｙ  Ｃｏｍｅ  Ｃｏｍｅ」「Ｇｏｏｄ−Ｌｕｃｋ  Ｃｈａｒｍ」「Ｔｒａｖｅｌ  Ｃｈａｒｍ」「○○ｊｉｎｊｙａ」「Ｏｍａｍｏｒｉ」等の英語表記を付すると、特に日本を訪れる外国人用として使用に供するときに好適である。
【考案の効果】
【０００９】
本考案は上記の如き構成であるから、その内部に社寺から請い受けた守り札に加えて、更に独自の祈りを増幅する他、自己管理のために必要な種々の物品を内封することにより、主に観光等で日本を訪問する外国人向けのお守りとして、旅行安全、交通安全、新たな出会い、貴重な体験等ハッピーな結末に至ることを願うお守り用として最適なお守り袋とすることができるものである。
【００１０】
即ち、社寺から請い受けた守り札に加えて、社寺を巡礼するときにその社寺において押印してもらうミニ御朱印帳、家族の写真、連絡先・病歴等の本人の個人情報、緊急用の紙幣等を収納しておくことにより、社寺での使用の他、迷子・突然の発作等により急な病気になった場合等に、本考案のお守り袋をジッパーをもって開封することにより、容易に内部の品物を確認することができ、また活用することができるものである。特に、外国人の場合、言葉の不自由な見知らぬ土地で非常事態に陥ったとき等に極めて有効なものである。
【図面の簡単な説明】
【００１１】
【図１】本考案のお守り袋の正面図である。
【図２】本考案のお守り袋の背面図である。
【図３】本考案のお守り袋の展開図である。
【図４】本考案のお守り袋に収納する物品の一例を示す斜視図である。
【考案を実施するための形態】
【００１２】
以下、本考案を実施するための形態について、図面を参照して説明する。
【００１３】
図中、１はお守り袋であり、２は前布と後布との接合部であり、３はその接合部に設けたジッパーである。このジッパー３は接合部２の少なくとも一辺に設ければよいが、左右側辺、および底辺に設けてもよい。また、このジッパー３はあまり目立たないように、例えば細身のものとする等の大きさ、形状を採用することが望ましい。また、図示はしないが、お守り袋１は、その内部を二室に構成し、一室は社寺から請けた守護札専用とし、また他の一室にはミニ御朱印帳、写真、メモ、紙幣等を収納するようにする。このように二室に構成するには、ジッパー３の縫着の際、一緒に縫着することにより容易に作成することができる。
【００１４】
４は本考案のお守り袋１に収納する物品の一例を示すもので、５はミニ御朱印帳、６は家族写真等の写真、７は連絡先・病歴等の本人の個人情報を記載したメモ、８は緊急用に用意した紙幣である。勿論、これらに限定されることなく本人の必要に応じて種々のものを収納することができるものである。
【００１５】
尚、前記お守り袋１の上方部には、上辺を閉じるための紐９を設けてあり、該お守り袋１には社寺において請い受けた守り札に加えて、ミニ御朱印帳５、家族写真等の写真６、連絡先・病歴等の本人の個人情報を記載したメモ７、緊急用に用意した紙幣８等適宜の物品を収納することができるものである。その他、図中１０はお守り袋の前布と後布の少なくとも一方に「Ｈａｐｐｙ  Ｃｏｍｅ  Ｃｏｍｅ」「Ｇｏｏｄ−Ｌｕｃｋ  Ｃｈａｒｍ」「Ｔｒａｖｅｌ  Ｃｈａｒｍ」「○○ｊｉｎｊｙａ」「Ｏｍａｍｏｒｉ」等の英語表記を付した表示である。
【００１６】
斯くして、主に観光等で日本を訪問する外国人向けのお守りとして、旅行安全、交通安全、新たな出会い、貴重な体験等ハッピーな結末に至ることを願うお守り用として最適なお守り袋とすることができるものである。
【符号の説明】
【００１７】
１  お守り袋
２  前布と後布との接合部
３  ジッパー
４  お守り袋に収納する物品
５  ミニ御朱印帳
６  写真
７  個人情報を記載したメモ
８  緊急用に用意したお金
９  紐
１０  英語表記の表示
【図１】
0003201058.tif 000003
【図２】
0003201058.tif 000004
【図３】
0003201058.tif 000005
【図４】
0003201058.tif 000006
【手続補正書】
【提出日】平成27年9月4日(2015.9.4)
【手続補正１】
【補正対象書類名】実用新案登録請求の範囲
【補正対象項目名】請求項１
【補正方法】変更
【補正の内容】
【請求項１】
お守り袋の前布と後布との接合部をジッパーにより開閉可能となし、その内部に社寺から請い受けた守り札に加えて、更に独自の祈りを増幅する他、ミニ御朱印帳、家族の写真、連絡先・病歴等の本人の個人情報を記載したメモ、緊急用の紙幣等自己管理のために必要な物品を内封可能となしたことを特徴とするお守り袋。